(57)【要約】【課題】ダンパーワイヤを、回転させることなく、ダンパーワイヤフレンジに容易に固定することができ、それにより、ダンパーヘッドの調整を容易に行えるとともに、製造コストを削減することができるグランドピアノのダンパーを提供する。【解決手段】複数の鍵２ａごとに設けられ、対応する鍵２ａの押鍵に連動して上方に回動するダンパーレバー４と、ダンパーレバー４に回動自在に取り付けられたダンパーワイヤフレンジ５と、ダンパーワイヤフレンジ５から上方に延び、ダンパーワイヤフレンジ５に対して上下方向に移動自在かつ回転自在のダンパーワイヤ６と、弾性材で構成され、ダンパーワイヤフレンジ５に設けられ、ダンパーワイヤ６を、弾性による押圧力によりダンパーワイヤフレンジ５に固定するワイヤクリップ１３と、ダンパーワイヤ６の上端部に取り付けられたダンパーヘッド７と、を備えている。【選択図】図１
2008129158.tif 000002
【特許請求の範囲】
【請求項１】
複数の鍵にそれぞれ対応する弦に離接することによって、当該弦の振動を許容または停止するグランドピアノのダンパーであって、
前記複数の鍵ごとに設けられ、対応する前記鍵の押鍵に連動して上方に回動するダンパーレバーと、
このダンパーレバーに回動自在に取り付けられたダンパーワイヤフレンジと、
このダンパーワイヤフレンジから上方に延び、当該ダンパーワイヤフレンジに対して上下方向に移動自在かつ回転自在のダンパーワイヤと、
弾性材で構成され、前記ダンパーワイヤフレンジに設けられ、前記ダンパーワイヤを、弾性による押圧力により前記ダンパーワイヤフレンジに固定するダンパーワイヤ固定具と、
前記ダンパーワイヤの上端部に取り付けられ、前記鍵の離鍵状態において、前記弦に上方から当接するダンパーヘッドと、
を備えていることを特徴とするグランドピアノのダンパー。
【請求項２】
前記ダンパーワイヤフレンジは、
前記ダンパーワイヤが挿入されるワイヤ挿入部と、
このワイヤ挿入部に連通するとともに前記ダンパーワイヤ固定具を収容する固定具収容部と、を有し、
前記ダンパーワイヤ固定具は、前記ダンパーワイヤの両側に配置され、前記弾性による押圧力により当該ダンパーワイヤを挟持することによって固定する一対の挟持部を有する板ばねで構成されていることを特徴とする請求項１に記載のグランドピアノのダンパー。
【請求項３】
前記ダンパーワイヤフレンジの前面には、窓が形成されており、
前記一対の挟持部の前端部が、前記窓から突出していることを特徴とする請求項２に記載のグランドピアノのダンパー。
【発明の詳細な説明】
【技術分野】
【０００１】
本発明は、複数の鍵にそれぞれ対応する弦に離接することによって、弦の振動を許容または停止するグランドピアノのダンパーに関し、特にダンパーワイヤをダンパーワイヤフレンジに固定する構造に関する。
【背景技術】
【０００２】
図６は、グランドピアノの従来の一般的なダンパーを示している。このダンパー２１は、前後方向に延びる複数のダンパーレバー２２（同図では１つのみ図示）と、上下方向に延び、下端部において各ダンパーレバー２２に回動自在に取り付けられたダンパーワイヤフレンジ２３と、ダンパーワイヤフレンジ２３に上方に延びるように取り付けられたダンパーワイヤ２４と、ダンパーワイヤ２４が通されたガイド孔２５ａを有するダンパーワイヤガイドホルダ２５と、水平な弦Ｓに沿って延びるとともに、ダンパーワイヤ２４の上端部に取り付けられ、弦Ｓに上方から離接するダンパーヘッド２６などを備えている。ダンパーレバー２２は、その後端部において、左右方向に延びるダンパーレバーレール２７に回動自在に取り付けられており、前端部が、対応する鍵（図示せず。図１参照）の後端部に上方から対向している。また、ダンパーワイヤフレンジ２３の上部には、ダンパーワイヤ２４が、ワイヤフレンジソケットスクリュー（以下単に「スクリュー」という）２８によって固定されており、この固定の構造が、例えば特許文献１に開示されている。
【０００３】
具体的には、図７に示すように、ダンパーワイヤフレンジ２３には、上面に開口したワイヤ取付孔２３ａが設けられており、このワイヤ取付孔２３ａにダンパーワイヤ２４の下端部が挿入されている。また、ダンパーワイヤフレンジ２３の上端部には、スクリュー２８が、前方（図７では右方）からねじ込まれ、その先端がワイヤ取付孔２３ａ内のダンパーワイヤ２４に当接している。そして、このスクリュー２８を締め付け、ダンパーワイヤ２４をワイヤ取付孔２３ａの壁部に押し付けることにより、ダンパーワイヤ２４がダンパーワイヤフレンジ２３に固定されている。
【０００４】
以上の構成により、鍵が押鍵されると、その後端部でダンパーレバー２２が突き上げられるのに伴い、ダンパーワイヤフレンジ２３およびダンパーワイヤ２４を介して、これらと一体のダンパーヘッド２６が上方に移動し、弦Ｓから離れる。その後、鍵の押鍵に連動して回動するハンマー（図示せず）が弦Ｓを打弦することにより、弦Ｓが振動し、ピアノ音が発生する。一方、鍵が離鍵されると、ダンパーレバー２２が下方に復帰回動するのに伴い、ダンパーヘッド２６が下方に移動し、弦Ｓに当接することによって、弦Ｓの振動が停止され、発音が停止（止音）される。
【０００５】
また、このダンパー２１では、ダンパーペダル（図示せず）が踏み込み操作されると、リフティングレール２９が、リフティングレール突揚棒３０により突き上げられ、上方に回動する。これにより、すべてのダンパーレバー２２が上方に回動し、すべてのダンパーヘッド２６が弦Ｓから一斉に離れることによって、いわゆるダンパーペダル効果が得られる。
【０００６】
上述した構成のダンパー２１において、弦Ｓの振動の許容および停止を適切に行うためには、ダンパーヘッド２６が、弦Ｓに対し、適正な角度と高さで取り付けられていることが必要である。具体的には、ダンパーヘッド２６の下面が弦Ｓに対して平行であること（以下「前後の平行度」という）、また、平面的に見て、ダンパーヘッド２６が弦Ｓに対して平行に延びていること（以下「左右の平行度」という）、さらに、押鍵時またはダンパーペダルの操作時に、ダンパーヘッド２６が弦Ｓから適切なタイミングで離れるような高さに位置していることが必要である。これらのうち、ダンパーヘッド２６の前後の平行度の調整は、ダンパーワイヤ２４を、適宜、曲げることによって行われる。また、ダンパーヘッド２６の左右の平行度および高さの調整は、ダンパーワイヤフレンジ２３に対するダンパーワイヤ２４の周方向の角度および上下方向の位置を調整することによって行われる。具体的には、ダンパーワイヤ２４の角度および位置を定めた状態で、前記スクリュー２８を締め付けることによって行われる。
【０００７】
しかし、スクリュー２８の締め付けの際には、その先端がダンパーワイヤ２４の外周面に当たった状態で、スクリュー２８が回されるので、ダンパーワイヤ２４が回転しやすく、その角度がずれやすい。このように、ダンパーワイヤ２４の角度がずれると、それに伴い、ダンパーヘッド２６も回転し、例えば図８の二点差線で示すように、ダンパーヘッド２６の左右の平行度が保てなくなり、その結果、ダンパー２１の機能を適切に発揮させることができなくなる。
【０００８】
また、ダンパーヘッド２６の上記のようなずれを抑制するために、ダンパーヘッド２６の回転角度分を見越して、スクリュー２８の締め付けを行ったとしても、角度のずれ量が一定ではないために、所定の角度が得られるまで、スクリュー２８を何度も緩めたり、締め付けたりするという煩雑な作業が必要になる。特に、ピアノの製造時には、多数（約７０）のダンパーワイヤ２４をダンパーワイヤフレンジ２３にそれぞれ固定する必要があるため、その作業全体として、かなりの手間や時間を要し、製造コストが上昇してしまう。また、ダンパーワイヤ２４の固定作業は、ダンパーワイヤ２４をダンパーワイヤガイドホルダ２５のガイド孔２５ａと、回動自在のダンパーワイヤフレンジ２３に通した状態で行われるので、ダンパーワイヤ２４が曲がらないよう、慎重に行う必要があり、熟練を要する。
【０００９】
本発明は、以上のような課題を解決するためになされたものであり、ダンパーワイヤを、回転させることなく、ダンパーワイヤフレンジに容易に固定することができ、それにより、ダンパーヘッドの調整を容易に行えるとともに、製造コストを削減することができるグランドピアノのダンパーを提供することを目的とする。
【００１０】
【特許文献１】特開２００１−３３１１７１号公報
【発明の開示】
【課題を解決するための手段】
【００１１】
上記の目的を達成するために、請求項１に係る発明は、複数の鍵にそれぞれ対応する弦に離接することによって、弦の振動を許容または停止するグランドピアノのダンパーであって、複数の鍵ごとに設けられ、対応する鍵の押鍵に連動して上方に回動するダンパーレバーと、このダンパーレバーに回動自在に取り付けられたダンパーワイヤフレンジと、このダンパーワイヤフレンジから上方に延び、ダンパーワイヤフレンジに対して上下方向に移動自在かつ回転自在のダンパーワイヤと、弾性材で構成され、ダンパーワイヤフレンジに設けられ、ダンパーワイヤを、弾性による押圧力によりダンパーワイヤフレンジに固定するダンパーワイヤ固定具と、ダンパーワイヤの上端部に取り付けられ、鍵の離鍵状態において、弦に上方から当接するダンパーヘッドと、を備えていることを特徴とする。
【００１２】
この構成によれば、ダンパーワイヤフレンジが、ダンパーレバーに回動自在に取り付けられている。ダンパーワイヤは、ダンパーワイヤフレンジから上方に延び、このダンパーワイヤフレンジに対して上下方向に移動自在かつ回転自在に設けられている。また、ダンパーワイヤは、ダンパーワイヤ固定具により、ダンパーワイヤフレンジに固定されていて、上端部に、ダンパーヘッドが取り付けられている。このダンパーの基本的な動作は、前述した従来のダンパーと同様であり、鍵の押鍵に連動して、ダンパーレバーが上方に回動し、ダンパーワイヤフレンジおよびダンパーワイヤを介して、ダンパーヘッドが上方に移動し、弦から離れることによって、弦の振動が許容される。一方、離鍵時には、上記と逆の動作で、ダンパーヘッドが下方に移動し、弦に当接することによって、弦の振動が停止される。
【００１３】
また、このダンパーでは、ダンパーワイヤが、弾性材で構成されたダンパーワイヤ固定具によって、その弾性による押圧力によりダンパーワイヤフレンジに固定される。したがって、ダンパーワイヤを固定する際には、従来と異なり、スクリューのねじ込み作業が不要である。その結果、ダンパーワイヤを、回転させることなく、適正な角度および高さでダンパーワイヤフレンジに容易に固定することができる。それにより、ダンパーヘッドの調整を容易に行えるとともに、製造コストを削減することができる。
【００１４】
請求項２に係る発明は、請求項１に記載のグランドピアノのダンパーにおいて、ダンパーワイヤフレンジは、ダンパーワイヤが挿入されるワイヤ挿入部と、このワイヤ挿入部に連通するとともにダンパーワイヤ固定具を収容する固定具収容部と、を有し、ダンパーワイヤ固定具は、ダンパーワイヤの両側に配置され、弾性による押圧力によりダンパーワイヤを挟持することによって固定する一対の挟持部を有する板ばねで構成されていることを特徴とする。
【００１５】
この構成によれば、ダンパーワイヤフレンジは、ダンパーワイヤが挿入されるワイヤ挿入部に連通する固定具収容部を有し、この固定具収容部にダンパーワイヤ固定具が収容されている。ダンパーワイヤ固定具は、一対の挟持部を有する板ばねで構成され、両挟持部が、弾性による押圧力によりダンパーワイヤを両側から挟持することによって固定する。これにより、ダンパーワイヤを、例えばダンパーワイヤフレンジの壁部などに押し付けることによって固定する場合に比べて、よりしっかりと固定することができる。
【００１６】
請求項３に係る発明は、請求項２に記載のグランドピアノのダンパーにおいて、ダンパーワイヤフレンジの前面には、窓が形成されており、一対の挟持部の前端部が、窓から突出していることを特徴とする。
【００１７】
この構成によれば、一対の挟持部の前端部が、ダンパーワイヤフレンジの前面に形成された窓から突出しているので、ダンパーワイヤフレンジの前方から、両挟持部の前端部を操作でき、それにより、両挟持部の開閉を容易に行うことができる。
【発明を実施するための最良の形態】
【００１８】
以下、図面を参照しながら、本発明の好ましい実施形態を詳細に説明する。図１は、本発明の一実施形態によるグランドピアノのダンパーを示している。このダンパー１は、左右方向に配置された複数の鍵２ａ（１つのみ図示）から成る鍵盤２の後方に配置されている。図１に示すように、ダンパー１は、ダンパーレバーレール３と、それに取り付けられた複数のダンパーレバー４（１つのみ図示）と、各ダンパーレバー４に取り付けられたダンパーワイヤフレンジ５と、ダンパーワイヤフレンジ５に、上方に延びるように取り付けられたダンパーワイヤ６と、その上端部に取り付けられたダンパーヘッド７などを備えている。
【００１９】
ダンパーレバーレール３は、例えばアルミニウムの押出成形品で構成され、鍵盤２の左右方向の全体にわたって延びている。また、ダンパーレバーレール３は、ダンパーレバーレール介物を介して、ピアノ本体（いずれも図示せず）に固定されている。
【００２０】
ダンパーレバーレール３の前側には、リフティングレール８が設けられている。このリフティングレール８もまた、例えばアルミニウムの押出成形品で構成され、中空に形成されるとともに鍵盤２の左右方向の全体にわたって延びている。リフティングレール８は、上下方向に延びるリフティングレール突揚棒９に載置されている。このリフティングレール突揚棒９は、その下端部において、ダンパーペダル（図示せず）に連結されている。また、リフティングレール８の上面には、これに沿ってリフティングレールクロス８ａが貼られており、このリフティングレールクロス８ａに、後述するパイロットスクリュー４ｂが、所定の間隔を存して上方から対向している。
【００２１】
複数のダンパーレバー４は、鍵２ａごとに設けられている。各ダンパーレバー４は、前後方向に延びており、後端部が、ダンパーレバーフレンジ１０を介してダンパーレバーレール３に回動自在に取り付けられ、前端部が、対応する鍵２ａの後端部に上方から対向している。また、ダンパーレバー４には、中央部よりも前寄りの位置に、ダンパーワイヤフレンジ５が取り付けられている。なお、ダンパーレバー４には、これに重さを付加するための２つの重り４ａ、４ａが取り付けられるとともに、下面にパイロットスクリュー４ｂがねじ込まれている。
【００２２】
ダンパーワイヤフレンジ５は、上下方向に延び、その下端部において、ダンパーレバー４に回動自在に取り付けられている。また、図２に示すように、ダンパーワイヤフレンジ５の天壁部１１には、上下方向に貫通したワイヤ取付孔１１ａが形成されており、このワイヤ取付孔１１ａ（ワイヤ挿入部）に、ダンパーワイヤ６が差し込まれている。これにより、ダンパーワイヤ６は、ダンパーワイヤフレンジ５に対し、上下方向に移動自在にかつ長さ方向に延びる軸線を中心として回転自在になっている。また、ダンパーワイヤフレンジ５の内部には、ワイヤ取付孔１１ａに連通するクリップ収容部１２（固定具収容部）が形成され、このクリップ収容部１２に、ダンパーワイヤ６を固定するワイヤクリップ１３（ダンパーワイヤ固定具）が収容されている。
【００２３】
このワイヤクリップ１３は、所定の形状およびサイズの板状のばね鋼を、適宜、折り曲げ加工することなどで成形した板ばねで構成されている。図３に示すように、ワイヤクリップ１３は、左右方向に延びる基部１３ａと、基部１３ａの両端部において屈曲して前方（同図では下方）に延び、弾性による押圧力により、ダンパーワイヤ６を左右両側から挟持する一対の挟持部１３ｂ、１３ｂとで構成されている。両挟持部１３ｂ、１３ｂは、互いに左右対称に形成されており、基部１３ａの両端から内側に斜めに延び、それらの先端から互いにほぼ平行に延び、それらの先端から外側に斜めに延び、さらにそれらの先端から互いにほぼ平行に延びている。そして、両挟持部１３ｂ、１３ｂの前端部が、ダンパーワイヤフレンジ５の前壁部１４に形成された左右２つの開口部１４ａ、１４ａ（窓）から、突出している。なお、ワイヤクリップ１３は、ダンパーワイヤフレンジ５の背壁部１５に形成された開口部１５ａを介して、後方からクリップ収容部１２に挿入され、基部１３ａがクリップ収容部１２内のクリップ取付部１２ａに接着などで固定されている。以上のように構成されたワイヤクリップ１３により、ダンパーワイヤ６は、両挟持部１３ｂ、１３ｂで左右両側から挟持され、ダンパーワイヤフレンジ５に固定されている。
【００２４】
また、図１に示すように、ダンパーワイヤ６は、ダンパーワイヤガイドホルダ１６のガイド孔１６ａに通されており、上端部にダンパーヘッド７が取り付けられている。このダンパーヘッド７は、平面形状が細長い長方形状の本体部７ａと、本体部７ａの下面に取り付けられた前後２つのダンパーフェルト７ｂ、７ｂで構成されている。本体部７ａの一方の側面には、穴７ｃが形成されており、この穴７ｃに、側方に曲げられたダンパーワイヤ６の上端部が係合している。また、ダンパーヘッド７は、離鍵状態において、水平に張設された弦Ｓに上方から当接している。
【００２５】
以上のように構成されたダンパー１の動作は、前述した従来のダンパー２１と基本的に同じである。すなわち、鍵２ａが押鍵されると、その後端部でダンパーレバー４が突き上げられ、上方に回動するのに伴い、ダンパーワイヤフレンジ５を介して、ダンパーワイヤ６がダンパーワイヤガイドホルダ１６のガイド孔１６ａで案内されながら、水平方向にぶれることなく、真っ直ぐ上方に移動する。これにより、ダンパーワイヤ６と一体のダンパーヘッド７も上方に移動することによって、ダンパーヘッド７が弦Ｓから離れ、弦Ｓの振動が許容される。その後、所定のタイミングでハンマー（図示せず）が、弦Ｓを打弦することにより、弦Ｓが振動し、ピアノ音が発生する。一方、鍵２ａが離鍵されると、ダンパーレバー４が下方に復帰回動するのに伴い、ダンパーヘッド７が下方に移動し、弦Ｓに当接することで、ダンパーレバー４やダンパーヘッド７などの重さにより弦Ｓの振動が停止され、止音される。
【００２６】
また、ダンパーペダルが踏み込み操作されると、リフティングレール８がリフティングレール突揚棒９により突き上げられることによって、上方に回動する。これにより、すべてのダンパーレバー４がパイロットスクリュー４ｂを介して上方に突き上げられ、すべてのダンパーヘッド７が弦Ｓから一斉に離れることによって、すべての弦Ｓの振動が許容され、打弦されていない弦Ｓが打弦された弦Ｓに共鳴するダンパーペダル効果が得られる。一方、ダンパーペダルの踏み込み操作が終了すると、リフティングレール８が自重で下方に復帰回動し、それに伴い、すべてのダンパーレバー４が下方に回動することで、すべてのダンパーヘッド７が弦Ｓに当接するようになり、元の状態に復帰する。
【００２７】
また、ダンパーヘッド７の調整は、次のように行われる。まず、適当な工具を用い、これをワイヤクリップ１３の両挟持部１３ｂ、１３ｂの前端部に内側から当て、図３の二点差線で示すように、両挟持部１３ｂ、１３ｂを、弾性力に抗して、ダンパーワイヤ６の径よりも大きく広げる。これにより、ワイヤクリップ１３によるダンパーワイヤ６の固定が解除され、ダンパーワイヤ６は、上下方向の移動および回転が可能となる。次いで、両挟持部１３ｂ、１３ｂを広げた状態に保ちながら、ダンパーヘッド７を、弦Ｓに対する適正な角度および高さに保持する。具体的には、ダンパーヘッド７を、弦Ｓに対して平行に延びるような角度に、かつ、押鍵時またはダンパーペダルの操作時に、弦Ｓから適切なタイミングで離れるような高さに保持する。そして、ワイヤクリップ１３から工具を外す。それにより、ワイヤクリップ１３は、自身の弾性力により元の状態に復帰し、両挟持部１３ｂ、１３ｂでダンパーワイヤ６を挟持し、固定する。以上により、ダンパーヘッド７の左右の平行度および高さの調整が完了する。なお、ダンパーヘッド７の前後の平行度の調整は、従来と同様、ダンパーワイヤ６を、適宜、曲げることによって行われる。
【００２８】
図４は、ダンパーワイヤフレンジ５の変形例を示している。このダンパーワイヤフレンジ５は、前述したものと異なり、背壁部１５の開口部１５ａが省略されるとともに、前壁部１４に、ワイヤクリップ１３の左右方向の寸法よりも幅広の単一の開口部１４ａが形成されている。したがって、このダンパーワイヤフレンジ５では、前壁部１４の開口部１４ａを介して、ワイヤクリップ１３が、前方からクリップ収容部１２に収容され、基部１３ａが、背壁部１５側の内壁に固定される。
【００２９】
以上のように、本実施形態のダンパー１では、ダンパーワイヤ６を、ワイヤクリップ１３で挟持することによって、ダンパーワイヤフレンジ５に固定する。したがって、ダンパーワイヤ６を固定する際には、従来と異なり、スクリューのねじ込み作業が不要である。その結果、ダンパーワイヤ６を、回転させることなく、適正な角度および高さでダンパーワイヤフレンジ５に容易に固定することができる。それにより、ダンパーヘッド７の調整を容易に行えるとともに、製造コストを削減することができる。
【００３０】
なお、本発明は、説明した上記実施形態に限定されることなく、種々の態様で実施することができる。例えば、実施形態では、ダンパーワイヤ６をワイヤクリップ１３で挟持することによって固定したが、本発明はこれに限定されるものではなく、ワイヤクリップ１３に代えて、例えば、適当な形状のばねやゴムなどの弾性材を、本発明のダンパーワイヤ固定具として採用し、その弾性による押圧力により、ダンパーワイヤ６をダンパーワイヤフレンジ５の内壁などに押し付けることによって固定してもよい。
【００３１】
また、ダンパーワイヤ６を、ワイヤクリップ１３や上記の弾性材で固定した状態において、図５に示すように、ダンパーワイヤフレンジ５の前方からスクリュー１７をねじ込み、従来と同様、そのスクリュー１７によっても、ダンパーワイヤ６を固定するようにしてもよい。この場合には、ダンパーワイヤ６を、より強固に固定することができる。その他、本発明の趣旨の範囲内で、細部の構成を適宜、変更することが可能である。
【図面の簡単な説明】
【００３２】
【図１】本発明の一実施形態によるグランドピアノのダンパーを示す斜視図である。
【図２】図１のＡ部を示す部分拡大図である。
【図３】図２のIII−III線に沿う断面図である。
【図４】ダンパーワイヤフレンジの変形例を示す断面図である。
【図５】ワイヤクリップに加えて、スクリューによってダンパーワイヤを固定した状態を説明するための説明図である。
【図６】従来のグランドピアノのダンパーを示す斜視図である。
【図７】図６に示すダンパーレバーフレンジの上端部（一点鎖線で囲んだ部分）の内部構造を拡大して示す図である。
【図８】弦に対するダンパーヘッドの左右の平行度がずれた状態を説明するための説明図である。
【符号の説明】
【００３３】
１    ダンパー
２ａ  鍵
４    ダンパーレバー
５    ダンパーワイヤフレンジ
６    ダンパーワイヤ
７    ダンパーヘッド
１１ａ  ワイヤ取付孔（ワイヤ挿入部）
１２    クリップ収容部（固定具収容部）
１３    ワイヤクリップ（ダンパーワイヤ固定具）
１３ｂ  挟持部
１４ａ  開口部（窓）
Ｓ    弦
【図１】
2008129158.tif 000003
【図２】
2008129158.tif 000004
【図３】
2008129158.tif 000005
【図４】
2008129158.tif 000006
【図５】
2008129158.tif 000007
【図６】
2008129158.tif 000008
【図７】
2008129158.tif 000009
【図８】
2008129158.tif 000010